(57)【要約】【課題】光ファイバーモジュールを収容する受入溝の寸法を容易に測量できるコネクタ装置を提供する。【解決手段】コネクタ装置は、光ファイバーモジュールを収容する受入溝を有する絶縁本体と、前記絶縁本体に装着される複数の導電端子と、前記絶縁本体の受入溝に保持される光ファイバーモジュールとを含むコネクタ装置において、前記絶縁本体の天板には、前記受入溝の縁部を露出するための開口部が貫通するように形成される。コネクタ装置が記受入溝の縁部を露出するための開口部によって、受入溝の測量点を露出させて受入溝の寸法を便利に測量できる。更に、受入溝の寸法によって光ファイバーモジュールの外型寸法を設定して、光ファイバーモジュールが受入溝に密に係合することを実現している。【選択図】図７
2011003541.tif 000002
【特許請求の範囲】
【請求項１】
光ファイバーモジュールを収容する受入溝を有する絶縁本体と、
前記絶縁本体に装着される複数の導電端子と、
前記絶縁本体の受入溝に保持される光ファイバーモジュールと
を含むコネクタ装置において、
前記絶縁本体の天板には、前記受入溝の縁部を露出するための開口部が貫通するように形成されることを特徴とするコネクタ装置。
【請求項２】
前記絶縁本体は、受入溝を構成する前記天板と、天板に対向する底板と、前記天板及び底板を連接する側板とを含み、前記開口部が側板の真上に前記天板を貫通するように形成されることを特徴とする請求項１に記載のコネクタ装置。
【請求項３】
前記側板には、前記光ファイバーモジュールの先端に当接する当接壁を有し、前記開口部は前記当接壁の真上に第一開口部を含むことを特徴とする請求項２に記載のコネクタ装置。
【請求項４】
前記光ファイバーモジュールの両側には係止凸部が突出形成され、前記側板に前記係止凸部に係合する係合部が設けられ、前記開口部は前記係合部の真上に第二開口部を含むことを特徴とする請求項３に記載のコネクタ装置。
【請求項５】
前記側板は、前記当接壁と係合部との間に、光ファイバーモジュールをガイドするためのガイド部が形成され、前記開口部は前記ガイド部の真上に第三開口部を含むことを特徴とする請求項４に記載のコネクタ装置。
【請求項６】
前記光ファイバーモジュールの先端に凹部が形成され、前記受入溝の先端に前記天板と底板を連接して前記凹部に係合するための隔離壁が設けられることを特徴とする請求項２に記載のコネクタ装置。
【発明の詳細な説明】
【技術分野】
【０００１】
本発明は、高速信号を伝送できるコネクタ装置に関し、特に、光電伝送共用のコネクタ装置に関する。
【背景技術】
【０００２】
特許文献１を参照すると、従来のコネクタ装置は、相手コネクタを嵌合する挿入空間を有する絶縁本体と、前記絶縁本体に装着された複数の導電端子と、絶縁本体に保持され光ファイバーモジュールとを含み、絶縁本体に前記挿入空間に突出する舌片が設けられ、該舌片の底部に複数の収容溝が形成され、前記導電端子は収容溝に収容され、弾性変形可能な接触部を備える。前記絶縁本体の内部に光ファイバーモジュールを収容するための受入溝が形成される。
【先行技術文献】
【特許文献】
【０００３】
【特許文献１】中国特許出願公開第１０１３４５３５８号明細書
【発明の概要】
【発明が解決しようとする課題】
【０００４】
しかしながら、光ファイバーモジュールを収容する受入溝が絶縁本体の内部に配置されるので、受入溝の寸法を確実に測量することが難しい。したがって、新たなコネクタ装置を開発することが必要である。
【０００５】
本発明は、係る点に鑑みてなされたものであり、光ファイバーモジュールを収容する受入溝の寸法を容易に測量できるコネクタ装置を提供することを目的とする。
【課題を解決するための手段】
【０００６】
本発明のコネクタ装置は、光ファイバーモジュールを収容する受入溝を有する絶縁本体と、前記絶縁本体に装着される複数の導電端子と、前記絶縁本体の受入溝に保持される光ファイバーモジュールとを含むコネクタ装置において、前記絶縁本体の天板には、前記受入溝の縁部を露出するための開口部が貫通するように形成されることを特徴とする。
【発明の効果】
【０００７】
従来技術に比べ、本発明は以下の利点を有する。コネクタ装置が記受入溝の縁部を露出するための開口部によって、受入溝の測量点を露出させて受入溝の寸法を便利に測量できる。更に、受入溝の寸法によって光ファイバーモジュールの外型寸法を設定して、光ファイバーモジュールが受入溝に密に係合することを実現している。
【図面の簡単な説明】
【０００８】
【図１】本発明に係るコネクタ装置の組立斜視図である。
【図２】本発明に示すコネクタ装置の部分分解図である。
【図３】図２に示すコネクタ装置の他の角度から見た部分の分解図である。
【図４】本発明に係るコネクタ装置の分解図である。
【図５】図４に示すコネクタ装置の他の角度から見た分解図である。
【図６】図１に示すコネクタ装置のＡ−Ａ線に沿った断面図である。
【図７】本発明に係るコネクタ装置の絶縁本体の斜視図である。
【発明を実施するための形態】
【０００９】
以下、本発明についての実施形態を詳細に説明する。以下の説明において、後方は相手コネクタの挿入方向であり、前方は相手コネクタの離脱方向である。
【００１０】
図１乃至図４を参照して本発明の実施状態について説明する。本発明のコネクタ装置１００は、絶縁本体１と、絶縁本体１に組み合わせられるベース部材２と、絶縁本体１とベース部材２とに保持される導電端子３と、絶縁本体１に保持される光ファイバーモジュール４と、絶縁本体１の外囲を包囲するためのシェル５とを含む。
【００１１】
絶縁本体１は、基部１１と、基部１１の先端から前向きに延出する第一舌片１２と、基部１１の下部から前向きに延出する補強板１３とを含み、第一舌片１２と補強板１３が平行に配置される。前記基部１１に光ファイバーモジュール４を収容するための受入溝１１５と、受入溝１１５の下端での固持溝１１６とが形成され、前記受入溝１１５が基部の天板１１１と、天板１１１と対向する底板１１２と、天板１１１と底板１１２とを連接する両側板１１３とにより包囲し構成される。受入溝１１５の先端の中間に前記天板１１１と底板１１２を連接する隔離壁１１４が設けられる。
【００１２】
前記底板１１２の上端に受入溝１１５に連通する一対の連通溝１１２１が配置され、底板１１２には、光ファイバーモジュール４の左右側の先端に当接する当接壁１１３１と、光ファイバーモジュール４に係合する係合部１１３２と、当接壁１１３１及び係合部１１３２の間に配置されるガイド部１１３３とが設けられ、前記ガイド部１１３３は、光ファイバーモジュール４を受入溝１１５にガイドするために前後方向に沿って斜めに延出するように形成される。
【００１３】
天板１１１には、受入溝１１５の縁部を露出するための複数の開口部が貫通するように形成される。該等開口部は、前記当接壁１１３１の真上の第一開口部１１１１と、係合部１１３２の真上の第二開口部１１１２と、前記ガイド部１１３３の真上の第三開口部１１１３とを含み、該等開口部が前記受入溝１１５の寸法が変化する箇所の縁部にそれぞれ配置されることにより、受入溝１１５の測量点を露出させて受入溝１１５の寸法を便利に測量でき、更に、受入溝１１５の寸法によって光ファイバーモジュール４の外型寸法を設定して、光ファイバーモジュール４が受入溝１１５に密に係合することを実現している。
【００１４】
第一舌片１２の上方には固持溝１１６に連通する開放溝１２１と、開放溝１２１の先端での位置決め溝１２２とが配置される。
【００１５】
ベース部材２は、固持溝１１６に保持される本体部２１と本体部２１から前向きに延出する第二舌片２２とを含み、本体部２１の後端には複数の固定溝２１１が設けられ、前記第二舌片２２が絶縁本体１の第一舌片１２の開放溝１２１内に収容され、第二舌片２２の上下壁には前後方向に沿った端子溝２２１がそれぞれ配置される。
【００１６】
導電端子３の配列方式は、ＵＳＢ３．０規格に符合し、第一端子組３１と第二端子組３２とを含む。前記第一導電端子組３１の各第一導電端子は、前記位置決め溝１２２に収容される平板状の第一接触部３１１と、前記ベース部材２の端子溝２２１に収容される第一固定部３１３と、第一固定部３１３の一端に絶縁本体１から突出する第一半田部３１４と、前記第一固定部３１３と第一接触部３１１を連接するための第一連接部３１２とを含む。
【００１７】
第二端子組３２の各導電端子は、前記第二舌片２２の上壁から突出する第二接触部３２１と、前記ベース部材２の端子溝２２１に収容される第二固定部３２３と、第二固定部３２３の一端から延出する第二半田部３２４と、前記第二接触部３２１と第二固定部３２３を連接するための第二連接部３２２とを含む。
【００１８】
光ファイバーモジュール４は絶縁本体１の受入溝１１５内に収容される。光ファイバーモジュール４の先端はレンズ４５と、前向きに延出するレンズ４５の両側のポスト４６とを含み、光ファイバーモジュール４の先端の中間に絶縁本体１の隔離壁１１４に係合する凹部４１が設けられる。絶縁本体１の側板１１３に形成された当接壁１１３１は、光ファイバーモジュール４の先端縁の左右側に当接することにより、光ファイバーモジュール４の前方への移動が制限される。
【００１９】
光ファイバーモジュール４の両側縁に係止凸部４２が形成され、係合止部４２には光ファイバーモジュール４を受入溝１１５に案内するための案内面４２１が形成される。光ファイバーモジュール４を受入溝１１５に収容する時に、前記係合止部４２が絶縁本体１の係合部１１３２に係合することによって、光ファイバーモジュール４の後向きの移動が制限される。また、光ファイバーモジュール４の下部に絶縁本体１の連通溝１１２１に保持される固定アーム４３が設けられ、これによって、光ファイバーモジュール４が受入溝１１５に安定に保持される。
【００２０】
シェル５は、絶縁本体１の外囲を包囲して、補強板１３がシェル５の底壁に支持されることによりシェル５の変形を減少できる。
【００２１】
以上本発明について最良の実施の形態を参照して詳細に説明したが、実施形態はあくまでも例示的なものであり、これらに限定されない。また上述の説明は、本発明に基づきなしうる細部の修正或は変更など、いずれも本発明の請求範囲に属するものとする。
【符号の説明】
【００２２】
１  絶縁本体
１１  基部
１２  第一舌片
１３  補強板
１１１  天板
１１２  底板
１１３  側板
１１４  隔離壁
１１５  受入溝
１１１１  第一開口部
１１１２  第二開口部
１１１３  第三開口部
１１３１  当接壁
１１３２  係合部
１１３３  ガイド部
２  ベース部材
３  導電端子
４  光ファイバーモジュール
５  シェル
【図１】
2011003541.tif 000003
【図２】
2011003541.tif 000004
【図３】
2011003541.tif 000005
【図４】
2011003541.tif 000006
【図５】
2011003541.tif 000007
【図６】
2011003541.tif 000008
【図７】
2011003541.tif 000009